(57)【要約】【課題】患者に対して適切な医薬などの医薬処方を医者及び／又は患者に対して提示するものであり、患者の状態や過去の処方内容の有効性を加味した上での、現時点で適した効果的な処方内容を示す情報を含む医療情報を医者及び／又は患者に対して提示（開示、通知）する。【解決手段】患者の個人情報、医者の処方情報（含処方内容の有効性情報）、などを収集し、これらの情報から、患者の疾患に有効である１つ以上の処方内容を含む処方用医療データを作成し、当該データの中から患者の現状における最適な処方内容を選択、確定することができるようにする手段を設けた。【選択図】図１
2016218684.tif 000002
【特許請求の範囲】
【請求項１】
患者の疾患歴を含む個人情報、処方内容及び処方評価結果を含む医者による処方情報を収集する手段と、
前記収集した各情報から患者に対する処方内容の良し悪し有効性評価情報を抽出し、患者名、疾患内容、処方時状態、処方内容、処方内容の良し悪し有効性評価結果、を含む処方用医療データを作成する手段と、
前記処方用医療データの処方内容の良し悪し有効性評価結果に対して有効性が有りと評価された処方内容に提示順位を示す優先度を付与して記憶装置に登録、保存する手段と、
前記優先度の高い順に前記処方内容を医者及び／又は患者に対して表示装置に表示して提示する手段と、
を備え、
医者が前記表示装置に提示された複数の処方内容から所望の処方内容を特定して患者に対する処方内容を含む処方を可能としたことを特徴とする医療処方提示システム。
【請求項２】
請求項１に記載された医療処方提示システムにおいて、さらに、
特定した処方内容を患者側に対して提示する手段、を有することを特徴とする医療処方提示システム。
【請求項３】
請求項１又は２に記載された医療処方提示システムにおいて、
前記患者の個人情報は、
個人属性に関する患者の姓名、性別、年齢、過去の疾患、居住地、遺伝、の各情報を含み、
前記医療に関する処方情報は、
患者の姓名、疾患内容、処方内容（処方箋内容）、処方内容の有効性（結果）、処方時の状態、の各情報を含み、
前記処方用医療データは、
患者名、年齢、疾患内容、処方状態、処方内容、処方結果（有効性有無）、の各情報を含む、
ことを特徴とする医療処方提示システム。
【請求項４】
患者の個人属性に関する個人情報、医薬処方に関する処方情報を基に処方用医療データを作成し、特定の処方内容を医療システム及び／又は患者側端末に対して提示する医療処方提示方法であって、
患者の疾患歴を含む個人情報、処方内容及び処方内容評価結果を含む医者による処方情報を収集するステップと、
前記収集した各情報から患者に対する処方内容の良し悪し有効性評価情報を抽出し、患者名、疾患内容、処方時状態、処方内容、処方内容の良し悪し有効性評価結果、を含む処方用医療データを作成するステップと、
前記処方用医療データの処方内容の良し悪し有効性評価結果に対して有効性が有りと評価された処方内容に提示順位を示す優先度を付与して記憶装置に登録、保存するステップと、
前記優先度の高い順に前記処方内容を医者及び／又は患者に対して表示装置に表示して提示するステップと、
を備え、
医者が前記表示装置に提示された複数の処方内容から所望の処方内容を特定して患者に対する処方内容を含む処方を可能としたことを特徴とする医療処方提示方法。
【請求項５】
請求項４に記載された医療処方提示方法において、さらに、
特定した処方内容を患者側に対して提示するステップ、を有することを特徴とする医療処方提示方法。
【請求項６】
請求項４又は５に記載された医療処方提示方法において、
前記患者の個人情報は、
個人属性に関する患者の姓名、性別、年齢、過去の疾患、居住地、遺伝、の各情報を含み、
前記医療に関する処方情報は、
患者の姓名、疾患内容、処方内容（処方箋内容）、処方内容の有効性（結果）、処方時の状態、の各情報を含み、
前記処方用医療データは、
患者名、年齢、疾患内容、処方状態、処方内容、処方結果（有効性有無）、の各情報を含む、
ことを特徴とする医療処方提示方法。
【発明の詳細な説明】
【技術分野】
【０００１】
本発明は医療、例えば、医薬や処置などを含む医療に関する処方（処方箋内容や処置方法）を提示する医療処方提示システム及び方法に関する。
【背景技術】
【０００２】
医師による問診や診察結果に基づく薬剤（医薬品）などの処方（医薬処方）を蓄積した処方事例をデータベース化し、当該過去の医薬処方事例を参照して現時点における患者の医薬処方を決定する上で参考とする医薬処方システムが提案されている。
【０００３】
また、医薬処方システムとして、特願２００６−２４４２６０（特許文献１）がある。係る文献には、患者の遺伝子情報を考慮して精度の高い医薬品の選択と用量、用法で医薬処方するテーラーメイド医薬処方システムが開示されている。
【先行技術文献】
【特許文献】
【０００４】
【特許文献１】特開２００６−２４４２６０
【発明の概要】
【発明が解決しようとする課題】
【０００５】
前者の医薬処方では、過去の事例に過ぎず、現時点における様々な状況、例えば、患者当人の身体的特徴、性別、年齢、体質、など）を考慮した適切な医薬処方が期待できない課題があった。
【０００６】
また、後者の医薬処方は、遺伝子情報を考慮した医薬処方が可能であり、有効であるも一義的に決められるものであり、上述したように現時点における様々な状況、例えば、患者当人の身体的特徴、性別、年齢、体質、など）に応じた適切な医薬処方までは考慮されていない。
【０００７】
つまり、従来にあっては、医者による患者に対する医薬などの処方は、それぞれの医者個人による患者の診察結果をもって、医者独自の経験則により疾患内容に適した処方を行っているのが現状であり、患者（本人及び他人）の年齢、処方時の状態、特に、過去の処方歴や処方、例えば、処方した医薬（薬剤）の有効性（良し悪し）、他の医者による処方内容などを考慮することまでは配慮されていなかった。
【０００８】
本発明は、係る点に鑑み、患者に対して適切な医薬などの医薬処方を医者及び／又は患者に対して提示するものであり、患者の状態や過去の処方内容の有効性を加味した上での、現時点で適した効果的な処方内容を示す情報を含む医療情報を医者及び／又は患者に対して提示（開示、通知）することができる医療処方提示システム及び方法を提供することにある。
【０００９】
また、提示する医療情報の中に必要に応じて同一疾患に対する他の医者による処方内容も含めるようにすれば、処方時に参考にすることが可能である。
【課題を解決するための手段】
【００１０】
上記目的を達成するために、本発明では、例えば、患者の個人情報、医者の処方情報（含処方内容の有効性情報）、などを収集し、これらの情報から、患者の疾患に有効である１つ以上の処方内容を含む処方用医療データを作成し、当該データの中から患者の現状における最適な処方内容を選択、確定することができるようにする手段を設けた。
【００１１】
上記目的を達成するために、代表的な本発明の医薬処方提示システム及び方法の一つは、
患者の疾患歴を含む個人情報、処方内容及び処方結果（処方内容の良し悪し評価を示す有効性評価情報）を含む医者の処方情報を収集する手段と、
前記収集した各情報から患者に対する処方内容の良し悪し有効性評価情報を抽出し、患者名、疾患内容、処方時状態、処方内容、処方内容の良し悪し有効性評価結果、を含む処方用医療データを作成する手段と、
前記処方用医療データの処方内容の良し悪し有効性評価結果に対して有効性が有りと評価された処方内容に提示順位を示す優先度を付与して記憶装置に登録、保存する手段と、
前記優先度の高い順に前記処方内容を医者及び／又は患者に対して表示装置に表示して提示する手段と、
を備え、
医者が前記表示装置に提示された複数の処方内容から所望の処方内容を特定して患者に対する処方内容を含む処方を可能としたことを特徴とする。
【００１２】
医療処方提示システム及び方法の一つは、さらに、
特定した処方内容を患者側に対して提示する手段、を有することを特徴とする。
【００１３】
前記患者の個人情報は、
個人属性に関する患者の姓名、性別、年齢、過去の疾患、居住地、遺伝、の各情報を含み、
前記医療に関する処方情報は、
患者の姓名、疾患内容、処方内容（処方箋内容）、処方内容の有効性（結果）、処方時の状態、の各情報を含む、
前記処方用医療データは、
患者名、年齢、疾患内容、処方状態、処方内容、処方結果（有効性有無）、の各情報を含む、
ことを特徴とする。
【００１４】
なお、収集する情報として、必要に応じて、処方内容の処方薬剤を取り扱う薬局に関する情報を含めてもよい。
【発明の効果】
【００１５】
本発明によれば、患者の状態や過去の処方内容の有効性を加味した上での、現時点で適した効果的な処方内容を示す情報を含む医療情報を医者及び／又は患者に対して提示（開示、通知）することができる。
上記した以外の課題、構成及び効果は、以下の実施形態の説明により明らかにされる。
【図面の簡単な説明】
【００１６】
【図１】図１は、本発明の医薬処方提示システムの構成例を示すブロック図である。
【図２】図２は、処方用医療データの一構成例を示すテーブルである。
【図３】図３は、本発明の医薬処方提示システムにおける演算装置の処理フローを示すフローチャートである。
【発明を実施するための形態】
【００１７】
以下、実施例を、図面を参照して説明する。本実施形態では、各種情報の情報源として複数の医療機関システム（医療端末）、複数の患者端末（ＰＣ）、複数の薬局端末（ＰＣ）を例にして説明するが、これらに限定する必要はない。また、本実施形態では、患者本人の各情報を利用して処方用医療データを作成し、処方内容を提示することを前提として説明するが、他の患者も同様な処方用医療データを作成することにより、同一疾患に対する各患者に対する処方内容（他の医者による処方内容）を参考とすることもできる。
以下、実施例を、図面を用いて説明する。
【００１８】
なお、以下の説明では、「テーブル」等の表現にて各種情報を説明することがあるが、各種情報は、テーブル以外のデータ構造で表現されていてもよい。また、データ構造に依存しないことを示すために「テーブル」を「情報」や「データ」と呼ぶことができる。
また、「プログラム」を主語として処理を説明する場合がある。そのプログラムは、演算装置／制御装置（プロセッサ、例えば、ＭＰ（Ｍｉｃｒｏ  Ｐｒｏｃｅｓｓｏｒ）やＣＰＵ（Ｃｅｎｔｒａｌ  Ｐｒｏｃｅｓｓｉｎｇ Ｕｎｉｔ）によって実行されるものであり、定められた処理をするものである。プロセッサは、適宜に記憶資源（例えばメモリ）及び通信インターフェース装置（例えば、通信ポート）を用いながら処理を行うため、処理の主語がプロセッサとされてもよい。プロセッサは、ＣＰＵの他に専用ハードウェアを有していてもよい。コンピュータプログラムは、プログラムソースから各コンピュータにインストールされても良い。プログラムソースは、例えば、プログラム配布サーバ又は記憶メディアなどで提供されるものであってもよい。
【００１９】
なお、本実施例の図及び説明において同一部分には同一符号を付与しているが、本発明が本実施例に制限されることはなく、本発明の思想に合致するあらゆる応用例が本発明の技術的範囲に含まれる。また、特に限定しない限り、各構成要素は複数でも単数でも構わない。
【実施例】
【００２０】
図１は本発明の医療処方提示システムの構成例を示すブロック図である。
医療処方提示システム１０は、ネットワーク５０を介して複数の医療機関システム２０、複数の患者端末３０、複数の薬局端末４０、に接続され、以下のような機能を有する。
【００２１】
各システム２０や各端末３０，４０から各種の情報を収集し、記憶装置１３０に格納・登録する機能、当該収集した情報を元に患者に対して有効な処方内容（有効性の良し悪し評価結果）を含む処方内容及び処方内容評価結果を抽出する機能、当該抽出した処方内容及び処方内容評価結果に有効性の高い（効き目あると判断できる）順位を示す優先度を付与した処方用医療データを作成して記憶装置１３０に格納・登録する機能を有する。
【００２２】
上記各機能を実現するため、医療処方提示システム１０は、通信装置１２０、記憶装置１３０、入出力装置１４０、制御装置１１０、などを有する。
【００２３】
記憶装置１３０は、医療機関システム２０や患者端末３０、薬局端末４０から収集した各情報を記録し、保存するものであり、個人情報ＤＢ（データベース）１３０１、処方情報ＤＢ１３０２、薬局情報ＤＢ１３０３、処方用医療データＤＢ１３０４、などを有する。
【００２４】
前記患者の個人情報は、例えば、個人属性に関する患者の姓名、性別、年齢、過去の疾患、居住地、遺伝、の各情報を含む。これらの情報は、患者から申請して貰う必要がある。
【００２５】
前記医療に関する処方情報は、例えば、患者の姓名、疾患内容、処方内容（処方箋内容）、処方内容の有効性（結果）、処方時の状態、の各情報を含む。これらの情報は、医療システムにおける医療カルテの情報を利用する。また、処方内容の有効性（結果）は、処方した結果を、医者により、評価し、入力してもらう。
【００２６】
薬局情報は、例えば、薬局名、薬剤名、薬剤の効果（効能）、住居、連作先、などの各情報を含む。
【００２７】
通信装置１２０は、医療機関システム２０や患者端末３０、薬局端末４０との間の通信を行うものであり、各種情報の送受を可能とする。
【００２８】
入出力装置１４０は、キーボーや表示部を含む。表示部は、処方内容、処方評価結果（処方内容評価結果）を含む処方用医療データを表示する機能を有する。
【００２９】
制御装置１１０は、各装置の動作制御を司り、内部に格納されたプログラムに従って上記の各装置の動作を制御する。そのため、制御装置１１０は、各種情報を収集し、登録する処理部１１０１、各種情報を検索する処理部１１０２、医療情報の処方内容（処方箋内容）を抽出する処理部１１０３、処方内容の有効性評価結果（良し悪し）を判断する処理部１１０４、処方内容に提示優先順位を付与する処理部１１０５、処方用医療データを作成する処理部１１０６、処方内容を医療機関システム２０や患者端末３０側に提示する処理部１１０７、などを有する。
制御装置１１０における動作制御の詳細は、後述する。
【００３０】
図２は、処方用医療データの一構成例を示すテーブルである。
処方用医療データは、例えば、図示の如く、処方年月日、病院名・担当医（情報の源）、患者名、年齢・性別、疾患内容、処方時状態、処方内容（医薬品などの処方箋内容など）、処方評価結果（処方内容の有効性／良悪影響）、提示優先度（順位）、その他、などの各情報を含む。
【００３１】
図３は本発明の医薬処方提示システムにおける演算装置の処理フローを示すフローチャートである。図３のフローチャートに基づく動作は以下のとおりである。
【００３２】
ステップＳ１１０１：制御装置１１０は、例えば、病院などの医療機関システム２０側にて管理されている処方情報、患者端末により入力される個人情報、薬局端末側にて管理されている薬局情報の各情報を収集し、記憶装置１３０の各データース１３０１〜１３０２に登録する。
【００３３】
処方情報に含まれる処方内容評価結果は、医者により入力する。この評価結果は、例えば、有効性、つまり効き目（効果）を大中小で評価する。また、悪影響を及ぼしたものは、評価結果として、その旨の情報を入力する。
【００３４】
ステップＳ１１０２：制御装置１１０は、記憶装置１３０の各ＤＢ１３０１〜１３０３に登録された情報を検索する。この検索は、例えば、患者の個人属性を基にする。
【００３５】
ステップＳ１１０３：制御装置１１０は、ステップＳ１１０１により収集した各情報から有効性ある処方内容（含悪影響のある処方内容）をすべて抽出する。
【００３６】
ステップＳ１１０４：制御装置１１０は、ステップＳ１１０３により抽出した処方内容の良し悪しを判断し、区別する。
【００３７】
ステップＳ１１０５：制御装置１１０は、ステップＳ１１０４にて判断した一つ以上の処方内容に対してそれぞれ提示順位を示す優先度を付与して記憶装置１３０の処方用医療データＤＢ１３０４に登録する。
この提示優先順位は、患者本人の過去の処方歴の処方内容の評価結果のみでも良いが、同一疾患に対する他の患者に対する処方内容も含めるとよい。例えば、優先度を決めるに際しては、同一疾患、同年代、同一処方時状態、などにおける処方内容の処方数（使用数）の多いものを上位とする。つまり、処方内容の数が多く、使用率が高い処方内容に対して優先度を高くし、使用率が少ない処方内容に対して優先度を低とし、大中小の大まかに区別する。
【００３８】
ステップＳ１１０６：制御装置は、一つ以上の有効処方内容（医薬などの処方）抽出し、例えば、医療機関システム、及び／又は患者端末側に開示や通知して提示する。この提示は、優先度の高い処方内容を優先度の高い順に並び替え、全ての処方内容を提示してもよく、その上位幾つかに限定して開示してもよい。また、悪影響を及ぼす評価を得た処方内容も提示するとよい。
【００３９】
医療機関システム２０側に処方内容の提示することにより、医者が処方する際に参考情報として利用することができる。
患者端末３０側に提示することにより、例えば、患者が薬局に処方箋内容を提示できないような事情がある場合、家族が本人に代わって処方内容の薬剤を受け取ることができる。特に、患者が自由に移動できないような場合や在宅診断の後に処方する場合などに有効である。
【００４０】
以上述べた実施例によれば、処方対象者である患者の処方当時の状態や医者により評価された医薬などの処方内容の有効性（良し悪し）を含む処方用医療データを作成し、処方内容を医者などに提示することにより、有効性のある処方内容から適切と思われる医薬などの処方（処方内容）を医療従事者（医者）及び／又は患者（患者の家族など）に対して提示することができる。
【００４１】
また、有効性のある医薬処方などを随時追加登録し、更新することにより、最新の状態に適した処方内容を維持できる。
例えば、医者は、患者当人の状態、又は他の患者で同一や同様な疾患に対する処方（処方内容）を加味した上での、当該時点で最も効果的な処方内容を参考情報として知ることが可能となる。
【００４２】
なお、本発明は上述した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の他に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する当によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００４３】
１０  医療処方提示システム
１１０  制御装置（ＣＰＵ）
１２０  通信装置
１３０  記憶装置
１４０  入出力装置
【図１】
2016218684.tif 000003
【図２】
2016218684.tif 000004
【図３】
2016218684.tif 000005